(57)【特許請求の範囲】
【請求項１】
少なくとも番組の開始時刻情報及び終了時刻情報が符号化された数値で表現される数値化番組情報を用いて、録画予約を行う放送番組の記録方法において、
番組を録画予約するための前記数値化番組情報を入力数値化番組情報として入力する録画予約入力ステップと、
外部より電子番組表を取得し、前記電子番組表に記述される各番組の開始時刻情報及び終了時刻情報を取得すると共に、前記数値化番組情報が共に記述される場合は前記数値化番組情報を記述数値化番組情報として取得する番組情報取得ステップと、
前記録画予約入力ステップで入力した入力数値化番組情報と、前記番組情報取得ステップで取得された各番組の記述数値化番組情報とをそれぞれ比較し、同一値の数値化番組情報が存在するかを検出する数値化情報比較ステップと、
前記数値化情報比較ステップで、同一値の数値化番組情報が存在するとして検出された場合には、前記録画予約入力ステップで入力された前記入力数値化番組情報で表現される放送開始時刻情報及び放送終了時刻情報を前記番組情報取得ステップで取得された放送開始時刻及び放送終了時刻情報で置換して録画予約を設定する一方、
同一値の数値化番組情報が存在しないとして検出された場合には、その検出された条件に加えて前記録画予約入力ステップで入力された前記入力数値化番組情報で指定される開始時刻から終了時刻の間に受信される番組の数を前記電子番組表の記述を基に検出し、
その検出される番組の数が１つであるときには、前記電子番組表に記述される開始時刻情報及び終了時刻情報で当該番組の録画予約を設定すると共に、検出される番組の数が複数であるときには複数番組の開始から終了までの合計時間に対する各番組の開始から終了までの時間の割合を求め、求められた時間の割合が所定の割合以上である番組のみの開始時刻情報及び終了時刻情報により録画予約を設定する録画予約設定ステップと、
を有してなることを特徴とする放送番組の記録方法。
【請求項２】
少なくとも番組の開始時刻情報及び終了時刻情報が符号化された数値で表現される数値化番組情報を用いて、録画予約を行う放送番組記録装置において、
番組を録画予約するための前記数値化番組情報を入力数値化番組情報として入力する録画予約入力手段と、
外部より電子番組表を取得し、前記電子番組表に記述される各番組の開始時刻情報及び終了時刻情報を取得すると共に、前記数値化番組情報が共に記述される場合は前記数値化番組情報を記述数値化番組情報として取得する番組情報取得手段と、
前記録画予約入力手段で入力された入力数値化番組情報と、前記番組情報取得手段で取得された各番組の記述数値化番組情報とをそれぞれ比較し、同一値の数値化番組情報が存在するかを検出する数値化情報比較手段と、
前記数値化情報比較手段で、同一値の数値化番組情報が存在するとして検出された場合には、前記録画予約入力手段で入力された前記入力数値化番組情報で表現される放送開始時刻情報及び放送終了時刻情報を前記番組情報取得手段で取得された放送開始時刻及び放送終了時刻情報で置換して録画予約を設定する一方、
同一値の数値化番組情報が存在しないとして検出された場合には、その検出された条件に加えて前記録画予約入力ステップで入力された前記入力数値化番組情報で指定される開始時刻から終了時刻の間に受信される番組の数を前記電子番組表の記述を基に検出し、
その検出される番組の数が１つであるときには、前記電子番組表に記述される開始時刻情報及び終了時刻情報で当該番組の録画予約を設定すると共に、検出される番組の数が複数であるときには複数番組の開始から終了までの合計時間に対する各番組の開始から終了までの時間の割合を求め、求められた時間の割合が所定の割合以上である番組のみの開始時刻情報及び終了時刻情報により録画予約を設定する録画予約設定手段と、
を具備して構成することを特徴とする放送番組記録装置。
【請求項３】
少なくとも番組の開始時刻情報及び終了時刻情報が符号化された数値で表現される数値化番組情報を用いて録画予約を行う機能をコンピュータに実行させるための放送番組記録用プログラムであって、
番組を録画予約するための前記数値化番組情報を入力数値化番組情報として入力する録画予約入力ステップと、
外部より電子番組表を取得し、前記電子番組表に記述される各番組の開始時刻情報及び終了時刻情報を取得すると共に、前記数値化番組情報が共に記述される場合は前記数値化番組情報を記述数値化番組情報として取得する番組情報取得ステップと、
前記録画予約入力ステップで入力した入力数値化番組情報と、前記番組情報取得ステップで取得された各番組の記述数値化番組情報とをそれぞれ比較し、同一値の数値化番組情報が存在するかを検出する数値化情報比較ステップと、
前記数値化情報比較ステップで、同一値の数値化番組情報が存在するとして検出された場合には、前記録画予約入力ステップで入力された前記入力数値化番組情報で表現される放送開始時刻情報及び放送終了時刻情報を前記番組情報取得ステップで取得された放送開始時刻及び放送終了時刻情報で置換して録画予約を設定する一方、
同一値の数値化番組情報が存在しないとして検出された場合には、その検出された条件に加えて前記録画予約入力ステップで入力された前記入力数値化番組情報で指定される開始時刻から終了時刻の間に受信される番組の数を前記電子番組表の記述を基に検出し、
その検出される番組の数が１つであるときには、前記電子番組表に記述される開始時刻情報及び終了時刻情報で当該番組の録画予約を設定すると共に、検出される番組の数が複数であるときには複数番組の開始から終了までの合計時間に対する各番組の開始から終了までの時間の割合を求め、求められた時間の割合が所定の割合以上である番組のみの開始時刻情報及び終了時刻情報により録画予約を設定する録画予約設定ステップと、
を少なくとも有して前記コンピュータに実行させることを特徴とする放送番組記録用プログラム。
【発明の詳細な説明】
【０００１】
【発明の属する技術分野】
本発明は、ハードディスクレコーダなどランダムアクセス可能で所定の記録容量を有する記録媒体に、電子番組表を用いて放送される番組を予約して記録する放送番組の記録方法、放送番組記録装置、及び放送番組記録用プログラムに関する。
【０００２】
【従来の技術】
従来より、ＶＴＲ及びハードディスクレコーダなどには記録開始時刻を設定して放送される番組を記録する番組予約記録の機能が搭載されている。それらの番組記録機器はユーザにより嗜好する番組が予約されて記録される。記録した番組はユーザの視聴時間が確保できるときに視聴できるなど、タイムシフトマシンとして用いられている。
【０００３】
そして、記録媒体としてハードディスクなどのランダムアクセス可能な記録媒体を用いた映像信号記録再生装置は、記録、再生のためのアクセス時間が短いため、複数の映像信号を同時に記録できる、また映像信号の記録と再生を同時に行うことが出来るなどの特徴を有している。
【０００４】
さらに、その同時記録再生機能を有する映像信号記録再生装置は、過去に記録開始した映像信号を、現在記録中の映像信号に追いつくようにして再生する追っかけ再生、及び放送中の番組を現在から過去に連続的にタイムシフトしながら視聴できるキャッシュ録再などの便利な機能を有している。
【０００５】
そしてまた、従来のキャッシュ記録再生機能は番組を視聴しながら記録し、見逃した番組部分を再度再生して視聴するなど、番組視聴に係る補助的な機能として用いられていた。そして、そのキャッシュ録再機能は、例えば予め取得した電子番組表情報を用いることによリ受信番組を指定しておくなどにより、その指定された番組を簡易な操作で録画予約を行なって視聴するための放送番組記録装置として用いることが出来る。
【０００６】
さらにまた、ハードディスクなどランダムアクセス可能な記録媒体を用いる放送番組記録装置の場合では、所定の記録領域に複数の番組を記録できる。そしてその記録された複数の番組は、任意の希望する再生順番を指定して視聴することができる。従って、記録した番組の視聴もＶＴＲによる場合と異なり、番組ごとに記録媒体を交換する煩雑さはない。また、記録した信号の再生も、早送り、巻き戻し、及び頭出しなどの操作を行うことなく、記録した複数の番組の再生順を変えるなどにより、連続して放送される番組と他の番組を交互に記録したような場合であっても、連続放送番組のみをアクセスすることにより繋げて再生できる機能も有している。
【０００７】
そのような便利な機能を有するハードディスクレコーダは、手軽に多くの番組を録画することができる。そして、視聴時間を確保できるときに録画番組を手軽に視聴するようにする。そのことにより、従来は放送番組の時刻に合わせて行われていた視聴者の行動は、番組の放送時間に縛られることのない自由時間の多い行動パターンにすることができるなど、好適に使用される。
【０００８】
その好適な使用のためには、録画予約の操作が確実に行われることが必要である。即ち、その操作は使用者にとって慣れた方法で録画予約の設定が出来ることが重要である。そして、録画予約の設定に操作ミスがあったときなどはその操作ミスを事前に発見できることが好ましい。
【０００９】
その操作ミスにより生じる録画の失敗は、例えば録画予約の設定を放送日、放送チャンネル、録画開始時刻、及び放送終了時刻を操作により入力して録画予約を設定するときの、たった１つの数字の入力ミスによっても生じることもある。そこで、数字の入力ミスを防ぐ方法として、例えばＧコード（Ｇコードは株式会社ジェムスタージャパン所有の登録商標である）のように番組の録画予約に必要な情報を数値化したコードを用いて入力することにより録画予約を行う方法もある。
【００１０】
そして、そのＧコードはデコードすることにより録画予約に必要な情報を復号することができ、録画予約の設定に係る入力操作を簡易にすることができる。さらに操作ミスの少ない録画予約の方法として、例えば番組記録装置が電子番組表の情報を有しているときには、その電子番組表情報をモニタ画面に表示し、リモコンキーを操作するなどにより電子番組表上で番組を選択し、選択した番組を録画予約することができる。
【００１１】
また、その電子番組表情報には、例えば野球放送が延長され、その後に放送される番組が時間シフトして放送されるときなどでは、そのシフトされた放送時刻情報が記述されているため、放送時刻の変更に合わせて録画時刻を自動追従して番組の記録を行うこともできる。
【００１２】
さらにまた、電子番組表情報を用いて行う録画では、電子番組表に記述される番組タイトル名を用いて予約番組一覧表、及び録画済み番組一覧表を作成して使用者に提示できる。使用者は、それらの一覧表示を用いることにより、多くの予約されている番組を一瞥できる。そして、希望する録画済み番組を一覧表上で選択して再生できるなど、利便性の高い番組記録装置を構成することができる。
【００１３】
【発明が解決しようとする課題】
ところで、そのような電子番組表を用いて実現できる機能も、受信する番組に係る電子番組表が容易に入手可能なときにのみ使用できるものであり、例えば番組記録装置の外部入力端子から供給される番組を録画する場合では、その録画番組に対応する電子番組表を容易に入手することができない場合も多い。
【００１４】
そして、録画する番組が例えばディジタルＣＳ（Communication Satellite）放送である場合などでは、そのディジタルＣＳ放送に係る電子番組表を入手するのは困難である。従って、電子番組表を用いる便利な録画機能を実現することはできない。そこで、録画予約は従来の手動入力の方法により行われることになる。
【００１５】
また、電子番組表が取得されている場合であっても、その電子番組表に記述される番組の最初から最後までの全てを録画するのではなく、放送の予定される所定の番組部分のみの録画を希望する場合もある。従って番組記録装置は、電子番組表による録画予約の他に、従来からなされている手動入力による録画予約の機能を有している必要がある。
【００１６】
さらに、Ｇコードを用いる番組の録画予約に関しても、そのＧコードによる録画予約操作に習熟している使用者のために、番組記録装置にはＧコードを用いる録画予約の機能を有している必要がある。そして、Ｇコードに習熟している使用者により、嗜好度の高い番組を失敗することなく確実に録画予約の設定がなされることも大切である。
【００１７】
そこで本発明は、番組記録装置には従来の手動入力による番組録画予約機能と電子番組表を用いる番組録画予約機能との両者が搭載される番組録画機能を実現する。そして、録画予約は電子番組表が用いられて、又は従来方法による手動入力方法が用いられて確実な録画予約の設定ができるようにする。また、録画予約された番組は電子番組表に記述される番組放送に係る情報を基に延長放送、及び繰り下げ放送に係る「自動追従」録画がなされる。そこで、従来の手動入力による番組予約に対しても「自動追従」録画に対応させる。さらには、録画番組と共に録画予約一覧、及び録画済み番組一覧の表示がなされる、使用者にとって好適な録画及び再生機能を有する番組記録装置を実現しようとするものである。
【００１８】
【課題を解決するための手段】
本発明は、上記課題を解決するために以下の１）〜３）の手段より成るもので
ある。
すなわち、
【００１９】
１）  少なくとも番組の開始時刻情報及び終了時刻情報が符号化された数値で表現される数値化番組情報を用いて、録画予約を行う放送番組の記録方法において、
番組を録画予約するための前記数値化番組情報を入力数値化番組情報として入力する録画予約入力ステップ（７９）と、
外部より電子番組表を取得し、前記電子番組表に記述される各番組の開始時刻情報及び終了時刻情報を取得すると共に、当該番組に係り記述される前記数値化番組情報がある場合は記述数値化番組情報として取得する番組情報取得ステップ（５６）と、
前記録画予約入力ステップで入力された入力数値化番組情報と、前記番組情報取得ステップで取得された各番組の記述数値化番組情報のそれぞれとを比較し、同一値の数値化番組情報があるかを検出する数値化情報比較ステップ（７６２）と、
前記数値化情報比較ステップで、同一値の数値化番組情報が存在するとして検出された場合には、前記録画予約入力ステップで入力された前記入力数値化番組情報で表現される放送開始時刻情報を前記番組情報取得ステップで取得された放送開始時刻及び放送終了時刻情報で置換して録画予約を設定する一方、
同一値の数値化番組情報が存在しないとして検出された場合には、その検出された条件に加えて前記録画予約入力ステップで入力された前記入力数値化番組情報で指定される開始時刻から終了時刻の間に受信される番組の数を前記電子番組表の記述を基に検出し、
その検出される番組の数が１つであるときには、前記電子番組表に記述される開始時刻情報及び終了時刻情報で当該番組の録画予約を設定すると共に、検出される番組の数が複数であるときにはそれら複数番組の開始から終了までの時間に対する各番組の開始から終了までの時間の割合を求め、求められた時間の割合が所定の時間率以上である番組の開始時刻情報及び終了時刻情報により録画予約を設定する録画予約設定ステップ（７６４）と、
を有してなることを特徴とする放送番組の記録方法。
２）  少なくとも番組の開始時刻情報及び終了時刻情報が符号化された数値で表現される数値化番組情報を用いて録画予約を行う放送番組記録装置において、
番組を録画予約するための前記数値化番組情報を入力数値化番組情報として入力する録画予約入力手段（７９）と、
外部より電子番組表を取得し、前記電子番組表に記述される各番組の開始時刻情報及び終了時刻情報を取得すると共に、当該番組に係り記述される前記数値化番組情報がある場合は記述数値化番組情報として取得する番組情報取得手段（５６）と、
前記録画予約入力手段で入力された入力数値化番組情報と、前記番組情報取得手段で取得された各番組の記述数値化番組情報のそれぞれとを比較し、同一値の数値化番組情報があるかを検出する数値化情報比較手段（７６２）と、
前記数値化情報比較手段で、同一値の数値化番組情報が存在するとして検出された場合には、前記録画予約入力手段で入力された前記入力数値化番組情報で表現される放送開始時刻情報を前記番組情報取得手段で取得された放送開始時刻及び放送終了時刻情報で置換して録画予約を設定する一方、
同一値の数値化番組情報が存在しないとして検出された場合には、その検出された条件に加えて前記録画予約入力手段で入力された前記入力数値化番組情報で指定される開始時刻から終了時刻の間に受信される番組の数を前記電子番組表の記述を基に検出し、
その検出される番組の数が１つであるときには、前記電子番組表に記述される開始時刻情報及び終了時刻情報で当該番組の録画予約を設定すると共に、検出される番組の数が複数であるときにはそれら複数番組の開始から終了までの時間に対する各番組の開始から終了までの時間の割合を求め、求められた時間の割合が所定の時間率以上である番組の開始時刻情報及び終了時刻情報により録画予約を設定する録画予約設定手段（７６４）と、
を具備して構成することを特徴とする放送番組記録装置。
３）  少なくとも番組の開始時刻情報及び終了時刻情報が符号化された数値で表現される数値化番組情報を用いて録画予約を行う機能をコンピュータに実行させるための放送番組記録用プログラムであって、
番組を録画予約するための前記数値化番組情報を入力数値化番組情報として入力する録画予約入力ステップ（Ｓ１２）と、
外部より電子番組表を取得し、前記電子番組表に記述される各番組の開始時刻情報及び終了時刻情報を取得すると共に、当該番組に係り記述される前記数値化番組情報がある場合は記述数値化番組情報として取得する番組情報取得ステップ（Ｓ１１）と、
前記録画予約入力ステップで入力された入力数値化番組情報と、前記番組情報取得ステップで取得された各番組の記述数値化番組情報のそれぞれとを比較し、同一値の数値化番組情報があるかを検出する数値化情報比較ステップ（Ｓ１５）と、
前記数値化情報比較ステップで、同一値の数値化番組情報が存在するとして検出された場合には、前記録画予約入力ステップで入力された前記入力数値化番組情報で表現される放送開始時刻情報を前記番組情報取得ステップで取得された放送開始時刻及び放送終了時刻情報で置換して録画予約を設定する一方、
同一値の数値化番組情報が存在しないとして検出された場合には、その検出された条件に加えて前記録画予約入力ステップで入力された前記入力数値化番組情報で指定される開始時刻から終了時刻の間に受信される番組の数を前記電子番組表の記述を基に検出し、
その検出される番組の数が１つであるときには、前記電子番組表に記述される開始時刻情報及び終了時刻情報で当該番組の録画予約を設定すると共に、検出される番組の数が複数であるときにはそれら複数番組の開始から終了までの時間に対する各番組の開始から終了までの時間の割合を求め、求められた時間の割合が所定の時間率以上である番組の開始時刻情報及び終了時刻情報により録画予約を設定する録画予約設定ステップ（Ｓ１９）と、
を少なくとも有して前記コンピュータに実行させることを特徴とする放送番組記録用プログラム。
【００２０】
【発明の実施の形態】
以下、本発明の放送番組の記録方法、放送番組記録装置、及び放送番組記録用プログラムの実施の形態につき、好ましい実施例により説明する。
図１は、その実施例に関わる放送番組記録装置の概略ブロック図であり、その構成と動作について述べる。
【００２１】
同図において、この放送番組記録装置４０は録画予約された番組を記録する記録部５０、ランダムアクセス記録及び再生を行う媒体部６０、及び記録された番組を再生する再生部７０よりなる。そして、再生部７０にはモニタＴＶ９０が接続され、またリモコン９５が赤外線により接続されるようにして概略構成されている。
【００２２】
そのように概略構成される放送番組記録装置４０の記録部５０はＴＶチューナ５１、Ａ／Ｄ変換器５２、ＭＰＥＧ−２エンコーダ５３、ストリームアナライザ５４、バッファメモリ５５、ＥＰＧ（Electronic Program Guide）復号器５６、及びスイッチ５７により構成される。そして、媒体部６０はハードディスク記録再生器６１、ハードディスク６３、及び書き込み読み出し制御器６５より構成される。また、再生部７０はバッファメモリ７１、ＭＰＥＧ−２デコーダ７２、ＯＳＤ（On Screen Display）７３、Ｄ／Ａ変換器７４、マイコン７６、一時記憶メモリ７８、及びリモコンインタフェース７９より構成される。
【００２３】
次に、その様に構成される放送番組記録装置４０の動作について概説する。
まず、リモコン９５などが用いられて、録画の希望される番組の録画開始時刻、及び受信チャンネルなどが操作される。その操作情報は変調された赤外光線によりリモコンインタフェース７９が介されてマイコン７６に供給される。その供給された録画予約情報は一時記憶メモリ７８に記憶される。
【００２４】
一方、マイコン７６により、ネットワークに接続される図示しない番組情報センターより電子番組表が取得される。又は、放送信号に多重される補助信号より電子番組表信号が取得される。その取得された電子番組表情報は、使用者により録画予約の操作がなされて得られた録画予約情報と比較される。その比較された結果、録画予約情報と同一とされる電子番組表上での番組情報が検出されたときには、その検出された番組に係る情報はＯＳＤ７３に供給される。そのＯＳＤ７３では、供給された情報は表示されるための信号に変換される。その変換して得られた番組情報はモニタＴＶ９０に供給され、使用者により操作されて録画予約された番組と同一であるか否かが問い合わされる。
【００２５】
問い合わされた電子番組表に表示される番組が、使用者により操作されて入力された番組と同一であるとする操作情報がリモコン９５などが操作されて得られるときには、マイコン７６では操作により入力された録画予約番組と、電子番組表上で検出された番組とが同一であるとして認識される。そして、録画予約番組の録画開始時間等は電子番組表から得られる最新の時刻情報を基に管理され、録画開始時刻が変更されるような場合には、その変更された時刻情報を基に受信される番組信号の記録が開始されるように時刻管理がなされる。
【００２６】
また、番組の録画開始時刻が近づいたとき、マイコン７６より受信すべきチャンネル情報はＴＶチューナ５１に供給される。そのＴＶチューナ５１では、アンテナより入来する放送電波の内、供給された情報に基づくチャンネルの信号が選定されて受信される。その受信されたビデオ信号はＡ／Ｄ変換器５２に供給され、ディジタル信号に変換されてＭＰＥＧ−２エンコーダ５３に供給される。
【００２７】
そのＭＰＥＧ−２エンコーダ５３では、供給された信号はＩＳＯ／ＩＥＣ（International Organization for Standardization / International Electrotechnical Commission）で定められたＭＰＥＧ−２（moving picture experts group - 2）標準規格に従ってＧＯＰ（Group of Picture）を単位とする圧縮符号化がなされる。そのＧＯＰ単位の符号化に係る情報は図示しない管理テーブル生成器に供給されると共に、ＭＰＥＧ−２エンコーダ５３で所定の画質を得るためのビットレート（符号化レート）の信号として圧縮符号化される。その圧縮符号化のされた信号はストリームアナライザ５４に供給される。そこでは圧縮符号化された信号の形式が解析される。解析して得られる符号化情報信号、及び供給された圧縮符号化信号はバッファメモリ５５に供給される。
【００２８】
そのバッファメモリ５５では記録（recording）用信号は一時記憶され、記録される順にその信号が出力される。そのバッファメモリ５５より供給された信号はハードディスク記録再生器６１に供給される。そこでは供給された信号は図示しない管理テーブル生成器から供給される管理テーブル情報と共にハードディスク６３に記録される信号として生成される。
【００２９】
そのハードディスク６３には、供給された符号化信号はセクタサイズごとに分割されて所定の記録領域に記録される。そして、分割されて記録される信号は、管理テーブル生成器よりマイコン７６を介して書き込み読出し制御器６５に供給されて書込み位置が制御されるようにして、ハードディスク６３の所定の記録領域に記録されるようになされている。
【００３０】
以上のようにして、受信チャンネルの選択がなされて受信されたビデオ信号及び図示しない付随される音響信号は圧縮符号化された映像信号、及び音響信号とされる。それらの映像信号、及び音響信号はセクタサイズ毎に分割されてハードディスク６３の所定の記録領域に記録される。そのため、複数種類の番組が予約されて記録されるような場合であっても、その記録された番組の再生は管理情報を基にして希望する番組のみが容易にアクセスされて再生される。
【００３１】
次に、記録部６０のハードディスク６３に記録された圧縮符号化信号の再生動作について述べる。
まず、視聴者によりリモコン９５の再生ボタンが操作されたときは、その操作内容は変調された赤外光線としてリモコンインタフェース７９に送信され、そこで受信された信号はマイコン７６に供給される。
【００３２】
そのマイコン７６からは、操作内容に応じて生成された制御信号が書き込み読み出し制御器６５に供給される。そして、書き込み読み出し制御器６５に供給された制御信号に基づいてハードディスク６３の、所定の記録領域部分がアクセス制御される。そして、希望される番組の録画信号が読み出され、その信号はハードディスク記録再生器６１に供給される。
【００３３】
そのハードディスク記録再生器６１では、ハードディスク６３より読み出された信号の増幅、及び周波数応答特性などの補正が行われる。その特性などの補正された信号はバッファメモリ７１に供給される。そのバッファメモリ７１では、供給される圧縮符号化された映像信号は一時記憶され、一時記憶された信号はＭＰＥＧ−２デコーダ７２からの要求に応じて読み出される。
【００３４】
そのＭＰＥＧ−２デコーダ７２では、供給された圧縮符号化のなされた映像信号はＭＰＥＧ−２標準に基づいて復号化される。その復号化されて得られたディジタルビデオ信号はＯＳＤ７３に供給される。
【００３５】
そのＯＳＤ７３では、必要に応じてモニタＴＶ９０に表示される映像信号に多重して表示されるべき表示信号が生成される。その生成された表示信号は直接モニタＴＶ９０に表示される、ないしはＭＰＥＧ−２デコーダ７２により復号化されて得られた映像信号に多重された合成信号として表示されるためのディジタル映像信号が生成される。その生成されたディジタル映像信号はＤ／Ａ変換器７４に供給され、モニタＴＶ９０に供給されるためのアナログ映像信号として得られるようになされている。
【００３６】
以上のようにして、セクタサイズ毎に分割されて、高速にハードディスクの所定の記録領域に記録、及び再生が行われる放送番組記録装置では、その記録領域中の離れた位置に記録された番組も連続して再生することができる。そして、現在放送されている番組の記録が行なわれながら過去に録画した番組を現在に向けて再生を行なう追っかけ再生ができる。さらに、放送中の番組を現在から過去に連続的にタイムシフトしながら視聴できるキャッシュ記録再生ができるなど、番組視聴に好適な機能を有している。
【００３７】
そして、そのような好適な記録及び再生機能を有する放送番組記録装置では、従来のタイムシフト機能として用いられるＶＴＲ録画に比し、テープ記録媒体の交換を行うことなく、番組を手軽に記録して再生するような使用方法が用いられるような録画予約がなされ使用される頻度が大きい。従って、録画予約のなされた番組の録画ミスは許されなく、予約された番組は確実に記録される必要がある。
【００３８】
次に、そのような嗜好番組の録画予約記録を確実に行うための録画予約の方法について更に述べる。
まず、電子番組表を有する放送番組記録装置においてなされる録画予約の方法として次の３つがある。
【００３９】
第１の方法は、電子番組表上で番組を選んで録画予約する方法である。第２の方法は予約を希望する番組のＧコード（Ｇコードは株式会社ジェムスタージャパン所有の登録商標である）を入力する方法である。即ち、放送番組記録装置の側ではそのＧコードをデコードすることにより受信チャンネル、日付、録画開始時刻、及び録画終了時刻などの録画予約情報が得られる。その得られた録画予約情報を基に録画予約の設定がなされる。第３の方法は、受信チャンネル、日付、録画開始時刻、及び録画終了時刻などの録画予約情報を直接入力して録画予約する方法である。その直接入力は、例えばリモコンキーが操作されるなどにより行われる。
【００４０】
第１の方法による録画予約の場合では録画予約される番組は電子番組表に記述される番組により特定される。そして、第２の方法で録画予約されたときには、電子番組表に番組情報として対応するＧコード情報が記述されており、入力されたＧコードと一致する場合には録画予約された番組を電子番組表に記述される番組により特定することができる。
【００４１】
そして、第２の方法による録画予約に対し、電子番組表にＧコード情報が記述されていないときでは電子番組表に記述される番組情報により、それだけでは一義的に特定することはできない。また第３の方法で録画予約されるときにも、録画予約される番組を電子番組表に記述される番組により一義することはできない。それらのような、番組が一義的に特定されないときには、入力された録画予約情報と電子番組表に記述される受信情報とを比較することにより電子番組表に記述される一致度の高い番組を認識する。そして、その認識された番組情報を使用者に提示し、録画予約の設定すべき番組であるか否かの確認を行う。また確認された番組の録画は電子番組表に記述される放送時刻情報に従って、例えば繰り下げ放送が行われる場合などではそれに自動追従するようにして録画を行うか、又は、あくまでも使用者により入力された録画時刻情報に基づいた録画を行うかが表示画面により提示され、使用者により希望される方が選択されるようになされる。
【００４２】
図２に、録画予約設定された入力時間帯より録画予約対象の番組に係りなされる表示画面の例を示す。
同図において、画面の上の方に入力された録画予約の時間帯が示されている。そして、中央の部分には電子番組表より得られた録画予約対象の認識番組が表示されている。また、画面の下の方には認識番組が正しいか、又は正しくないかに係りなされる使用者による入力画面が示されている。
【００４３】
その入力画面を提示された使用者は、録画予約しようとしている番組が認識番組と同一であるとして表示されるときには「はい」のボタンを、異なる番組であるとして表示されているときには「いいえ」のボタンをリモコンの矢印キー及び決定キーなどを用いて操作する。
【００４４】
そして、「はい」に係るボタンが操作されたときには電子番組表より得られる放送開始及び終了時刻を基にした録画予約が行われる。「いいえ」に係るボタンが操作されたときには電子番組表に記述される時刻情報は無視され、使用者により入力された時間帯により受信される番組が録画されるようになされる。
【００４５】
そのような電子番組表を基にして行われる番組の録画予約では、例えば上述の第２、及び第３の方法により録画予約がなされるときに、電子番組表で該当する番組が提示され、その番組を「はい」を選択して予約するができるので利便性が高い。
【００４６】
そして、第２、及び第３の方法により録画予約がなされるときに、仮に「いいえ」が選択されて予約される場合であっても、そのときには録画予約する番組のタイトル名、及びジャンルなどの番組情報は使用者に提示されている。使用者はそれらの提示を基にして録画予約時の時刻、チャンネル、ないしはＧコードなどの操作ミスを発見できる可能性が高くなり、意図しない番組予約を軽減することができる。
【００４７】
次に、そのようにして操作された「はい」ボタン、及び「いいえ」ボタンを基にしてなされる録画予約について述べる。
図３に、電子番組表の記述例を示す。
同図において、放送者Ａ、Ｂ、及びＣにより、１９時以降に放送される番組について示している。
【００４８】
放送者Ａは１９時より２０時５４分までプロ野球を放送するが、その野球放送は２１時２４分まで延長して放送される可能性のあることが記述されている。そして、プロ野球が延長して放送されるときにはその後に放送される番組は順次延長時間分が繰り下げられて放送される。
【００４９】
そこで、使用者により予約された番組が、例えば放送者Ａの２１時より開始される番組であり、上記の「はい」ボタンにより電子番組表に記述される番組として確認されるときは次のようにしてその番組が録画される。すなわち、録画開始時刻を管理するマイコン７６では、録画開始予定時刻の３分前に放送者Ａから提供される電子番組表情報が得られ、そこでは繰り下げ放送を含む更新された電子番組表情報が得られる。そして、得られた新しい電子番組表情報が基にされて放送番組の録画が開始されることにより、料理番組の最初から最後までを録画することができる。
【００５０】
しかし、「いいえ」ボタンが押されているときにはそのような繰り下げて放送される番組の録画は行われない。そして、「いいえ」ボタンが押されたのは使用者が録画を希望する番組が料理ではなく、希望する番組は放送者Ｂに２１時よりなされる「ドラマ」であり、操作ミスにより「料理」が設定されてしまったような場合であったりすることもある。
【００５１】
そのような操作ミスによる入力の場合では、電子番組表に記述されない番組を予約した使用者は録画予約設定を正しい内容に修正することにより希望する番組の録画がなされる。
【００５２】
また、使用者により入力される録画予約の時刻情報は電子番組表に記述される時刻と同一であるとは限らない。例えば番組の最初の部分を過ぎてから記録が開始されてしまうことのないように、最初から記録するため１分前の時刻を開始時刻として入力することもある。
【００５３】
同様にして、番組の最後の部分までをきちんと録画したいような場合では、録画終了時刻を番組終了後の時間に設定する。従って、前述の図２に示した録画予約の問い合わせにおいて、仮に番組が同一である場合であっても「いいえ」ボタンが選択され、使用者により入力された時刻に基づいた録画が行われるようにしてもよい。但し、その場合では繰り下げ放送に対応した、自動追従された放送時刻情報による録画は行えない。
【００５４】
以上、録画予約情報が例えばリモコンキーが操作されることにより直接入力される録画予約の方法と、その入力された録画予約情報と電子番組表とを比較して行う録画予約の方法と動作について述べた。
次に上述の第２の方法であるＧコードを用い予約して録画を行う場合の動作について述べる。
【００５５】
Ｇコードは、放送番組の録画予約を行うときに必要な放送日、放送チャンネル、番組開始時刻、及び番組時間の長さに係る情報を圧縮符号化した、例えば８桁の数字により表した番組数字コードである。そして、その番組数字コードは新聞などの番組表に記載されている。また、Ｇコードを用いる番組の録画予約ではその番組数字コードが記録装置に入力されることによりその番組の録画予約が簡単になされる。
【００５６】
そして、Ｇコードは８桁以下の数に圧縮符号化されているため、録画開始時刻は正確に設定できなく、放送開始時刻に対して早い時刻が設定されることがあるなど、いわゆる「ぴったり録画」ができないこともある。さらに、Ｇコードを用いて録画予約することにより延長されて放送される番組の自動延長記録はできなく、また繰り下げ放送に対する自動追従記録も行えない。
【００５７】
そこで、電子番組表情報を取得し、録画予約された番組を電子番組表に記述される番組により特定することにより、ぴったり録画、自動延長録画、及び自動繰り下げ録画などを行うことができる。そのためには、Ｇコードにより予約された予約番組と、電子番組表に記述される番組の放送時刻等の情報とが比較され、予約される番組が特定される必要がある。
【００５８】
図４に、Ｇコードにより予約された番組情報と電子番組表に記述される時刻情報とを比較することにより録画予約を設定するマイコン７６の機能ブロックを示す。
【００５９】
同図に示すマイコン７６の機能ブロックは、電子番組表のデータが供給されそのデータの復号を行うＥＰＧ復号器５６からの信号が供給される。また、リモコン９５より送信された赤外光による信号を受信するリモコンＩ／Ｆ７９からの信号が供給される。
【００６０】
そして、マイコン７６の機能ブロックにはＧコードデータ復号部７６１、データ比較部７６２、番組情報取得部７６３、及び録画予約設定部７６４の機能が有されている。
つぎに、このように構成されるマイコン７６の機能ブロックの動作について述べる。
【００６１】
まず、リモコン９５が操作されてＧコード予約がなされたときは、その番組予約に係る操作情報の一方はデータ比較部７６２に供給される。そして他方のデータはＧコードデータ復号部７６１に供給されて圧縮符号化されたＧコード信号は復号され、得られた信号はデータ比較部７６２に供給される。
【００６２】
そのデータ比較部７６２にはＥＰＧ復号器５６により復号されて得られた電子番組表データが供給される。そして、その電子番組表データにＧコード情報が含まれているときには、データ比較部で電子番組表のＧコード情報とリモコンＩ／Ｆ７９から供給されるリモコン情報とが比較され、一致すれば録画予約される番組が特定される。
【００６３】
また、電子番組表データにＧコード情報が記述されていないときには、ＥＰＧ復号器から供給された番組毎の放送チャンネル、開始時刻情報、及び番組時間情報とＧコードデータ復号部７６１から供給される放送日、放送チャンネル、番組開始時刻、及び番組時間の長さに係る情報とがデータ比較部７６２で比較されることにより、類似度の高い番組が録画予約に係り認識された番組として取得される。
【００６４】
次に、その認識して得られた番組が正しいかどうかが使用者に問い合わされる。
図５に、認識して得た番組の確認に係るモニタＴＶ９０での表示画面例を示す。
同図において、上部にはＧコード予約された番組に係る情報を復号して得られた情報が示される。中部には電子番組表より認識して得られた番組に係る情報が示される。下部にはＧコード予約された時間帯により録画予約が行われるか、又は録画予約対象の番組の時間帯で録画予約が行われるかの操作画面が示されている。
【００６５】
その操作画面が基にされて、録画予約対象の番組が「はい」により選択されたときには、例えば繰り下げ放送された番組に対しては繰り下げられた放送時刻に係る情報が電子番組表情報より取得され、その取得された時刻情報に基づいて自動追従録画がなされる。
【００６６】
次に、入力された録画予約情報を基にして電子番組表に記載される番組を認識して得る番組の認識方法について述べる。
図６に、録画予約された時刻情報を基に番組を判定するケースについて表で示し、説明する。
【００６７】
ケースＡは、２１：００〜２２：００の録画予約が設定されたときの例である。即ち、その時間帯に放送される番組情報を電子番組表より求めると▲１▼２１：００〜２１：５４のドラマと、▲２▼２１：５４〜２２：００のミニ番組が検出された場合である。
【００６８】
そして、このケースＡでは録画予約された時間帯に▲１▼と▲２▼の２つの番組があるので番組数は２である。また、２つの番組の録画時間帯率はそれぞれ番組▲１▼は９０％、番組▲２▼は１０％である。そこで番組▲１▼が録画予約対象の番組であると認識される。
【００６９】
ケースＢは、１９：００〜１９：１５の録画予約時間帯に番組▲３▼１９：００〜１９：３０の放送時間帯全てが含まれていない場合である。この場合の番組数は０．５、録画時間帯率は２００％であり、認識番組は存在しないとされる場合である。
【００７０】
ケースＣは、２１：００〜２３：００の録画予約時間帯に、▲４▼２１：００〜２１：５４のドラマ、▲５▼２１：５４〜２２：００のミニ番組、▲６▼２２：００〜２２：５４のバラエティー、及び▲７▼２２：５４〜２３：００のミニ番組が放送される場合である。従って番組数は４であり、それらの番組の録画時間帯率は▲４▼４５％、▲５▼５％、▲６▼４５％、そして▲７▼５％である。
【００７１】
この場合は番組▲４▼と▲６▼の両者が録画対象であると考えられるが、ここに示す例では録画予約対象の番組が検出されなかったものとして判定している。それは、判定される番組を１つとした方が番組の判定に係る使用者側での操作が簡易にできるからである。原理的には、録画を希望する複数の番組を提示し、必要に応じて複数の録画対象番組を選択するようにすることも可能である。録画対象番組を１つにするか、又は複数にするかは設計事項である。
【００７２】
次のケースＤは、録画予約のなされた２１：００〜２１：５４に対応した電子番組表に記述される▲８▼２１：００〜２１：５４の番組がある場合である。従って、番組数は１で、録画時間帯率は１００％であり、▲８▼の番組が録画予約対象の番組として認識される場合である。
【００７３】
以上、ケースＡ〜Ｄについて録画予約設定のなされた時間帯を基に、電子番組表に記載される録画予約の対象とされる番組を認識する方法について述べた。そして、認識して得られる番組を１つとするときの録画対象とされる番組の認識は、録画対象の時間帯に完全に含まれる番組が１つ以上あり、且つその中の１つの番組の長さが録画時間帯率が例えば８０％以上であるときに、その録画時間帯率を占有する番組を録画対象の番組であるとして認識する。
【００７４】
そして、録画対象とされる番組が認識されたときには、使用者に認識された番組に係る詳細情報が提示され、録画予約される番組が正しいか否かが、例えば「録画予約の対象番組は○○○○ですか」と表示して問い合わせられる。
【００７５】
その問い合わせに対して、正しいとされる操作情報が得られたときは、それ以降の録画予約に係る動作は電子番組表が用いられて録画予約すべき番組が選択されたのと同じ動作が行われるようにする。そして、正しくないとされる操作情報が得られたときには、電子番組表にはよらなく、使用者により設定された録画予約情報に従った録画がなされるようにする。
【００７６】
なお、上記のケースＢに関しては、番組の前半部分を録画したいとして設定された場合、及び操作ミスにより短い録画時間帯が設定された場合などが考えられる。いずれの場合も、番組▲３▼が使用者に提示され、使用者により操作された「はい」及び「いいえ」の情報が基にされた録画予約の動作を行う。そして、放送番組記録装置の側で誤った判定がなされて提示されたときには、使用者により「いいえ」が操作されることにより使用者の意思に従った録画予約の動作が行われることになる。
【００７７】
またここで、操作により入力された録画予約が、例えば１カ月先の番組であるような場合には、それに対応する電子番組表は入手できない。そのときには、例えば７日前となり該当する時間帯を含む電子番組表情報が入手できたときに上述の動作を行うようにすればよい。
【００７８】
そして、入力されたＧコード情報を基に録画対象の番組が提示される場合、Ｇコードの時間の分解能の関係で開始時刻が早く、終了時刻が遅く符号化されることがある。その場合は上述のようにして録画番組を判定して提示することができる。しかし、深夜放送などにおけるＧコードでは複数の番組がまとめられた時間帯の番組として符号化がなされることがある。その場合はケースＣで述べたと同様にして、１つの番組を提示する方法では複数番組の録画に対応できないことになる。
【００７９】
以上、録画予約される番組数が１つである場合の例について述べた。そして、番組数が１であるときには例えば８０％の所定値以上の録画時間帯率を有する番組を認識するようにした。そして、録画予約される番組数が２つである場合には８０％を２で除した、例えば４０％を所定値とし、それ以上の録画時間帯率を有する番組を認識するようにして同様の動作を行わせることができる。
【００８０】
そのようにして、録画予約される番組数を複数に設定することは技術的には可能である。しかし、設定番組数を１とする仕様の機能を搭載した放送番組記録装置の方が使用者に対して操作し易いこともある。いずれにしろ、使用者が従来より習熟した番組録画予約方法により入力した録画予約情報を基にして、電子番組表から得られる最新の放送時刻情報などが容易に参照されて目的とする番組の録画が簡易に設定できる限り、扱われる設定番組数を１とするか、又は２以上とするかは設計事項である。
【００８１】
以上のようにして、録画予約された番組が認識され、その認識された番組は使用者に提示される。その提示に対して「はい」が選択されたときには、番組のタイトル名、及び番組解説に係る番組情報は電子番組表より得られる。そして、その番組情報が用いられることにより、例えば番組タイトル名などを含んだ録画済み番組一覧の作成が容易にできる。また、録画済み番組一覧を用いることにより録画された番組より希望する番組を即座に指定して再生することができるなど、記録済み番組の再生を容易に頭出しして再生できる機能を持たせることができる。
【００８２】
その録画した番組のタイトル名を指定して再生を行う方法は、特にハードディスクレコーダのように多くの番組が記録され、記録された任意の番組をランダムアクセスにより読み出して再生するために便利な機能である。そして、録画予約されて記録される番組の場合では上記のように番組タイトル名などの番組情報の取得がなされる。
【００８３】
そこで、録画予約が行なわれずに番組の放送開始に合わせて録画ボタンが操作されて録画が開始された場合、又は急遽ワンタッチボタンが操作されて録画が開始された場合などにおいても記録された番組のランダムアクセスを容易に出来るようにする。そこで、録画予約がなされないで録画が開始された番組に係る番組タイトル名などの番組情報はそれらの録画開始後に電子番組表情報より取得されるようにする。
【００８４】
即ち、録画の開始された番組に係る番組情報は、例えば録画時間が３分以上であるときは録画開始後３分経過した時点において放送中である番組の情報を電子番組表より取得する。そして、録画時間が３分未満であるときには録画が停止された時点に放送中である番組情報を取得するようにする。
【００８５】
録画開始時点におけるタイトル名情報を取得しないのは、記録される番組の最初の部分が、例えば内蔵される時計の誤差、及び記録装置の仕様などにより放送の最初の部分が録画されなく、欠けた番組として記録されるのを防ぐような使用方法に対応するためである。なお、当然のことではあるが、電子番組表情報が得られない例えば外部入力端子から供給される映像信号を録画するような場合には番組表の参照は行われない。
【００８６】
以上述べたようにして、使用者により操作されて入力され番組予約情報を電子番組表に記述される番組情報と比較することにより、延長されて放送される番組、繰り下げて放送される番組に対しても変更された放送時刻に従って追従録画を行える。また、その録画された番組に係る情報を電子番組表より得、その得られた番組情報を用いて記録された番組の再生に係る記録済み番組一覧表を作成する。それにより、ランダムアクセス性の優れた放送番組記録装置を実現することができる。
【００８７】
次に、そのような放送番組記録装置の動作をコンピュータを実行させて行うためのコンピュータプログラムについて述べる。
図７に、手動により録画予約入力された情報を電子番組表に記述される情報と比較し、録画予約すべき番組を認識して行う録画予約の方法に係るフローチャートを示す。
【００８８】
同図において、放送番組記録装置の電源投入時等にＳ（ステップ）１１により電子番組表が取得され、Ｓ１２において使用者により録画予約の設定入力操作がなされる。Ｓ１３において、設定入力操作の行われた操作情報が番組数字コード（Ｇコード）によりなされたか、又は録画時刻等が直接操作されて入力されたかが検出される。
【００８９】
そして、録画予約の設定が番組数字コードによりなされたときには、Ｓ１４においてその番組数字コードが復号されて受信チャンネル情報、録画開始及び終了時刻情報が得られる。そしてＳ１３でＮｏとされる直接入力された操作情報及びＳ１４で復号化のなされた番組数字コードが基にされて、Ｓ１５においてＳ１１で取得された電子番組表に該当する番組があるかないかが検出され、認識される。
【００９０】
そして、認識番組が存在するとして認識されたときには、Ｓ１６においてその認識番組が使用者に提示され、Ｓ１７においてその認識番組は使用者により録画予約されようとしている番組であるか否かが問い合わされる。認識番組であるとする操作情報が使用者により入力されたときにはＳ１８において、Ｓ１２により録画予約入力された番組情報はＳ１１で電子番組表より取得されたその番組に係る情報に置換される。
【００９１】
そして、Ｓ１７において認識番組は正しいとされてＳ１８において得られた番組情報が基にされて、Ｓ１５において認識番組が存在しないとされたときはＳ１２に入力された録画予約情報が基にされて、又はＳ１７において認識番組は録画予約対象の番組でないとされたときはＳ１２に入力された録画予約情報が基にされて、Ｓ１９において録画予約の設定がなされる。
【００９２】
そのＳ１９により録画予約の設定された番組は、使用者により設定された録画予約情報が基にされて録画がされる、又は電子番組表に記述される情報が基にされて録画予約の設定がなされたときには電子番組表により供給される最新の番組の開始時刻情報が基にされて受信される番組の録画がなされる。
【００９３】
そして、録画予約すべき番組が電子番組表に記述される番組により特定されるときには、電子番組表に記述される番組のタイトル名、及び番組情報を基に録画済み番組に係る一覧表が作成され、使用者は作成された一覧表を基に録画された番組の中より再生を希望する番組を容易に選択し、その番組の再生を行うことができる。
【００９４】
以上詳述したように、放送される番組の記録は、ハードディスクレコーダ、及びＶＤＲ（Video Disc Recorder）などの放送番組記録装置には今後も電子番組表が取得され、その番組表情報を基にした記録及び再生の機能の搭載がますます進むものと期待される。
【００９５】
特に２００３年より放送の開始される地上波ディジタル放送は２００５年には全国的に放送がなされるようになり、電子番組表に係る機能を搭載した放送番組記録装置の普及度は大きくなる。そして電子番組表を用いて行う番組予約の手法は多くの使用者により好適に用いられるようになる。
【００９６】
そして、前述の従来方法による録画番組情報を直接的に入力する方法、又は番組数字コード入力による方法は、やがてはより好適な電子番組表を用いて行う番組予約の方法に変わっていくが、それまでの間は上述の録画予約情報の操作入力の方法が併用されつつ録画予約方法の変遷がなされて行くものである。
【００９７】
以上、従来の録画予約方法から将来的に用いられる電子番組表が用いられる番組予約の方法への推移の過程で用いられる番組録画予約の方法について詳述した。特にその番組録画予約の方法は、ランダムアクセス性の優れたハードディスクを記録媒体として用いる放送番組記録装置に好適な機能として搭載することができる。
【００９８】
そして、その装置に用いられる記録媒体はハードディスクを中心として述べたが、ランダムアクセスが可能な記録媒体、例えば光磁気ディスク、ＲＡＭ形、又はＲＷ形のＤＶＤ、そして半導体メモリ形記録媒体等の他の記録媒体を用いて上述の装置を実現することができる。
【０１００】
【発明の効果】
請求項１記載の発明によれば、Ｇコードを用いて入力された録画予約情報を基にした録画予約を行うか、又はその録画予約情報を基にして電子番組表より同一番組として認識される番組情報を基にした録画予約を行うかの選択が行われるようになされているので、確実に録画予約がなされると共に、録画予約された番組は最新の電子番組表に記述される時刻情報に従って録画を行うことのできる好適な放送番組の記録方法を提供できる効果がある。
【０１０４】
また、請求項２記載の発明によれば、Ｇコードを用いて入力された録画予約情報を基にした録画予約を行うか、又はその録画予約情報を基にして電子番組表より同一番組として認識される番組情報を基にした録画予約を行うかの選択が行われるようになされているので、確実に録画予約がなされると共に、録画予約された番組は最新の電子番組表に記述される時刻情報に従って自動追従録画を行うことのできる好適な放送番組記録装置の構成を提供できる効果がある。
【０１０５】
また、請求項３記載の発明によれば、Ｇコードを用いて入力された録画予約情報を基にした録画予約を行うか、又はその録画予約情報を基にして電子番組表より同一番組として認識される番組表情報を基にした録画予約を行うかの選択が行われるので、確実に録画予約がなされると共に、録画予約された番組は最新の電子番組表に記述される時刻情報に従って行う録画をコンピュータを実行させて行うための放送番組記録用プログラムを提供できる効果がある。
【図面の簡単な説明】
【図１】本発明の実施例に係る、放送番組記録装置の概略ブロック構成を例示した図である。
【図２】本発明の実施例に係る、録画予約設定された番組に係る予約設定画面を例示した図である。
【図３】本発明の実施例に係る、延長番組を含む電子番組表を例示した図である。
【図４】本発明の実施例に係る、Ｇコード情報を基に録画予約を行う機能ブロックを例示した図である。
【図５】本発明の実施例に係る、Ｇコード録画予約設定された番組に係る予約設定画面を例示した図である。
【図６】本発明の実施例に係る、録画予約された時刻情報を基に行う録画番組の判定方法を例示したものである。
【図７】本発明の実施例に係る、録画予約の方法に係るフローチャートを例示したものである。
【符号の説明】
４０  放送番組記録装置
５０  記録部
５１  ＴＶチューナ
５２  Ａ／Ｄ変換器
５３  ＭＰＥＧ−２エンコーダ
５４  ストリームアナライザ
５５  バッファメモリ
５６  ＥＰＧ復号器
５７  切り替えスイッチ
６０  媒体部
６１  ハードディスク記録再生器
６３  ハードディスク
６５  書き込み読み出し制御器
７０  再生部
７１  バッファメモリ
７２  ＭＰＥＧ−２デコーダ
７３  ＯＳＤ
７４  Ｄ／Ａ変換器
７６  マイコン
７８  一時記憶メモリ
７９  リモコンインタフェース
９０  モニタＴＶ
９５  リモコン
７６１  Ｇコードデータ復号部
７６２  データ比較部
７６３  番組情報取得部
７６４  録画予約設定部
【図１】
0003975820.tif 000002
【図２】
0003975820.tif 000003
【図３】
0003975820.tif 000004
【図４】
0003975820.tif 000005
【図５】
0003975820.tif 000006
【図６】
0003975820.tif 000007
【図７】
0003975820.tif 000008